【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  像表示装置に関連して使用するための像処理装置において、
第１像データ構造体を含むデータを記憶するためのメモリ装置を備え、第１像データ構造体は、全解像度像に対応するウェーブレット変換係数の第１アレーを含み、
更に、上記メモリ装置に接続されたデータプロセッサと、上記データプロセッサにより実行可能な多解像度像管理手順とを備え、この像管理手順は、複数の選択可能な解像度レベルのいずれかにおいて像を発生するための命令を含み、これらの命令は、
像データの特定セットに逆ウェーブレット又はウェーブレット状変換を適用して、像表示装置に対応像を表示するための像データを発生させる像再構成命令と、
全解像度より低い像解像度レベルが選択されたときに使用する像データ抽出命令と、を含み、
上記像データ抽出命令は、ウェーブレット変換係数のサブセットを第１アレーから抽出しそしてその抽出されたサブセットを第２像データ構造体の第２アレーに記憶することにより第１像データ構造体から第２像データ構造体を発生し、そして
上記像再構成命令は、全解像度より低い像解像度レベルが選択されたときには第２像データ構造体に対して作用し、そして全像解像度が選択されたときには第１像データ構造体に作用することを特徴とする像処理装置。
【請求項２】  像表示装置に関連して使用するための像処理装置において、
第１像データ構造体を含むデータを記憶するためのメモリ装置を備え、第１像データ構造体は、全解像度像に対応するウェーブレット変換係数の第１アレーを含み、
更に、上記メモリ装置に接続されたデータプロセッサと、上記データプロセッサにより実行可能な多解像度像管理手順とを備え、この像管理手順は、複数の選択可能な解像度レベルのいずれかにおいて像を発生するための命令を含み、これらの命令は、
像データの特定セットに逆ウェーブレット又はウェーブレット状変換を適用して、像表示装置に対応像を表示するための像データを発生させる像再構成命令と、
全解像度より低い像解像度レベルが選択されたときに使用する像データ抽出命令と、を含み、
上記像データ抽出命令は、ウェーブレット変換係数のサブセットを第１アレーから抽出しそしてその抽出されたサブセットを第２像データ構造体の第２アレーに記憶することにより第１像データ構造体から第２像データ構造体を発生し、そして
上記像再構成命令は、全解像度より低い像解像度レベルが選択されたときには第２像データ構造体に対して作用し、そして全像解像度が選択されたときには第１像データ構造体に作用し、
上記第１アレーは、ウェーブレット又はウェーブレット状変換係数アレーの各領域におけるウェーブレット係数の長方形セットを各々表すサブアレーのシーケンスを含み、そして
上記像データ抽出命令は、第１アレーにおけるサブアレーのサブセットを第２アレーへ変更なくコピーするための命令を含み、サブアレーのサブセットは、選択された解像度レベルに基づいて決定されることを特徴とする像処理装置。
【請求項３】  上記像データ抽出命令は、第１アレーにおけるサブアレーの第２サブセットを第２アレーに部分的にコピーするための命令を含み、第２サブセットにおける各サブアレーにより表されたウェーブレット係数は、選択された解像度に関連した幾つかのウェーブレット係数と、選択された解像度レベルに関連しない幾つかのウェーブレット係数とを含み、
第２サブセットにおける各サブアレーは、サブアレーをデコードしてウェーブレット係数の長方形セットを発生し、選択された解像度レベルに関連しない長方形セットにおけるウェーブレット係数をゼロ値に置き換え、ウェーブセット係数の長方形セットを再エンコードし、そしてウェーブレット係数の再エンコードされたセットを第２アレーに記憶することにより、部分的にコピーされる請求項２に記載の像処理装置。
【請求項４】  上記第１像データ構造体は、低解像度の像に対応するウェーブレット変換係数のアレーを含む寸描データ構造体を含み、そして
上記多解像度像管理手順は、上記寸描データ構造体をデコードすると共に上記低解像度像を表示するための命令を含む請求項２に記載の像処理装置。
【請求項５】  上記多解像度像管理手順は、
低解像度像の切断部分をユーザが選択できるようにする像切断命令と、
低解像度像の切断部分に対応するウェーブレット変換係数のサブセットを第１アレーから抽出しそしてその抽出されたサブセットを第３像データ構造体における第３アレーに記憶することにより、第１像データ構造体から第３像データ構造体を発生するための切断像データ抽出命令と、
を含む請求項２に記載の像処理装置。
【請求項６】  上記多解像度像管理手順は、
像表示装置に表示された像の切断部分をユーザが選択できるようにする像切断命令を含み、表示された像は、第１データ構造体又は第２データ構造体のデータから発生され、そして
表示された像の切断部分に対応するウェーブレット変換係数のサブセットを第１アレーから抽出しそしてその抽出されたサブセットを第３像データ構造体における第３アレーに記憶することにより、第１像データ構造体から第３像データ構造体を発生するための切断像データ抽出命令を更に含む請求項１に記載の像処理装置。
【請求項７】  上記第１アレーは、ウェーブレット又はウェーブレット状変換係数アレーの各位置におけるウェーブレット係数のツリーを各々表すツリー構造体のセットを含み、そして
上記像データ抽出命令は、各ツリー構造体の一部分を第２アレーにコピーする命令を含み、コピーされる部分は、選択された解像度レベルに基づいて決定される請求項１に記載の像処理装置。
【請求項８】  像表示装置に関連して使用するための像データを処理する方法において、
全解像度の像に対応するウェーブレット又はウェーブレット状変換係数の第１アレーを含む第１像データ構造体を記憶し、
上記第１アレーからウェーブレット又はウェーブレット状変換係数のサブセットを抽出しそしてその抽出されたサブセットを第２像データ構造体における第２アレーに記憶することにより、第１像データ構造体から第２像データ構造体を発生し、そして
第２像データ構造体におけるウェーブレット又はウェーブレット状変換係数に逆ウェーブレット又はウェーブレット状変換を適用して、像表示装置に対応像を表示するための像データを発生する、
という段階を含み、
上記第１アレーは、ウェーブレット又はウェーブレット状変換係数アレーの各領域における係数の長方形セットを各々表すサブアレーのシーケンスを含み、そして
上記第２像データ構造体の発生段階は、第１アレーにおけるサブアレーのサブセットを第２アレーへ変更なくコピーすることを含み、サブアレーのサブセットは、選択された解像度レベルに基づいて決定されることを特徴とする方法。
【請求項９】  上記第２像データ構造体の発生段階は、第１アレーにおけるサブアレーの第２サブセットを第２アレーへ部分的にコピーすることを含み、第２サブセットの各サブアレーにより表されたウェーブレット又はウェーブレット状係数は、選択された解像度レベルに関連した幾つかの係数と、選択された解像度レベルに関連しない幾つかの係数とを含み、
第２サブセットにおける各サブアレーは、サブアレーをデコードしてウェーブレット又はウェーブレット状係数の長方形セットを発生し、選択された解像度レベルに関連しない長方形セットにおける係数をゼロ値に置き換え、係数の長方形セットを再エンコードし、そして係数の再エンコードされたセットを第２アレーに記憶することにより、部分的にコピーされる請求項８に記載の方法。
【請求項１０】  上記サブアレーのサブセットは、選択された解像度レベルと、第１アレーに対応する像のユーザ指定サブ領域とに基づいて決定される請求項８に記載の方法。
【請求項１１】  上記第１像データ構造体は、低解像度の像に対応するウェーブレット又はウェーブレット状変換係数のアレーを含む寸描データ構造体を含み、そして
上記方法は、上記寸描データ構造体をデコードすると共に上記低解像度像を表示することを含む請求項８に記載の方法。
【請求項１２】  低解像度像の切断部分をユーザが選択できるようにし、
低解像度像の切断部分に対応するウェーブレット又はウェーブレット状変換係数のサブセットを第１アレーから抽出しそしてその抽出されたサブセットを第３像データ構造体における第３アレーに記憶することにより、第１像データ構造体から第３像データ構造体を発生する請求項１１に記載の方法。
【請求項１３】  像表示装置に表示された像の切断部分をユーザが選択できるようにし、表示された像は、第１データ構造体又は第２データ構造体のデータから発生され、そして
表示された像の切断部分に対応するウェーブレット又はウェーブレット状変換係数のサブセットを第１アレーから抽出しそしてその抽出されたサブセットを第３像データ構造体における第３アレーに記憶することにより、第１像データ構造体から第３像データ構造体を発生する請求項８に記載の方法。
【請求項１４】  メモリ及び像表示装置を有するコンピュータ制御システムに関連して使用するためのコンピュータプログラムプロダクトであって、コンピュータ読み取り可能な記憶媒体及びその記憶媒体に埋設されたコンピュータプログラム機構から成るコンピュータプログラムプロダクトにおいて、上記コンピュータプログラム機構は、
第１像データ構造体を含むデータをコンピュータ制御システムのメモリに記憶するためのメモリモジュールを備え、第１像データ構造体は、全解像度像に対応するウェーブレット変換係数の第１アレーを含み、上記第１アレーは、ウェーブレット又はウェーブレット状変換係数アレーの各領域におけるウェーブレット係数の長方形セットを各々表すサブアレーのシーケンスを含み、
更に、複数の選択可能な解像度レベルのいずれかにおいて像を発生するための命令を含む多解像度像管理モジュールを備え、これらの命令は、
像データの特定セットに逆ウェーブレット又はウェーブレット状変換を適用して、像表示装置に対応像を表示するための像データを発生させる像再構成命令と、
全解像度より低い像解像度レベルが選択されたときに使用する像データ抽出命令と、を含み、
上記像データ抽出命令は、ウェーブレット変換係数のサブセットを第１アレーから抽出しそしてその抽出されたサブセットを第２像データ構造体の第２アレーに記憶することにより第１像データ構造体から第２像データ構造体を発生し、上記像データ抽出命令は、第１アレーにおけるサブアレーのサブセットを第２アレーへ変更なくコピーするための命令を含み、サブアレーのサブセットは、選択された解像度レベルに基づいて決定され、そして
上記像再構成命令は、全解像度より低い像解像度レベルが選択されたときには第２像データ構造体に対して作用し、そして全像解像度が選択されたときには第１像データ構造体に作用することを特徴とするコンピュータプログラムプロダクト。
【請求項１５】  上記像データ抽出命令は、第１アレーにおけるサブアレーの第２サブセットを第２アレーに部分的にコピーするための命令を含み、第２サブセットにおける各サブアレーにより表されたウェーブレット係数は、選択された解像度に関連した幾つかのウェーブレット係数と、選択された解像度レベルに関連しない幾つかのウェーブレット係数とを含み、
第２サブセットにおける各サブアレーは、サブアレーをデコードしてウェーブレット係数の長方形セットを発生し、選択された解像度レベルに関連しない長方形セットにおけるウェーブレット係数をゼロ値に置き換え、ウェーブセット係数の長方形セットを再エンコードし、そしてウェーブレット係数の再エンコードされたセットを第２アレーに記憶することにより、部分的にコピーされる請求項１４に記載のコンピュータプログラムプロダクト。
【請求項１６】  上記第１像データ構造体は、低解像度の像に対応するウェーブレット変換係数のアレーを含む寸描データ構造体を含み、そして
上記多解像度像管理モジュールは、上記寸描データ構造体をデコードすると共に上記低解像度像を表示するための命令を含む請求項１４に記載のコンピュータプログラムプロダクト。
【請求項１７】  上記多解像度像管理モジュールは、
低解像度像の切断部分をユーザが選択できるようにする像切断命令と、
低解像度像の切断部分に対応するウェーブレット変換係数のサブセットを第１アレーから抽出しそしてその抽出されたサブセットを第３像データ構造体における第３アレーに記憶することにより、第１像データ構造体から第３像データ構造体を発生するための切断像データ抽出命令と、
を含む請求項１４に記載のコンピュータプログラムプロダクト。
【請求項１８】  メモリ及び像表示装置を有するコンピュータ制御システムに関連して使用するためのコンピュータプログラムプロダクトであって、コンピュータ読み取り可能な記憶媒体及びその記憶媒体に埋設されたコンピュータプログラム機構から成るコンピュータプログラムプロダクトにおいて、上記コンピュータプログラム機構は、
第１像データ構造体を含むデータをコンピュータ制御システムのメモリに記憶するためのメモリモジュールを備え、第１像データ構造体は、全解像度像に対応するウェーブレット変換係数の第１アレーを含み、
更に、複数の選択可能な解像度レベルのいずれかにおいて像を発生するための命令を含む多解像度像管理モジュールを備え、これらの命令は、
像データの特定セットに逆ウェーブレット又はウェーブレット状変換を適用して、像表示装置に対応像を表示するための像データを発生させる像再構成命令と、
全解像度より低い像解像度レベルが選択されたときに使用する像データ抽出命令と、を含み、
上記像データ抽出命令は、ウェーブレット変換係数のサブセットを第１アレーから抽出しそしてその抽出されたサブセットを第２像データ構造体の第２アレーに記憶することにより第１像データ構造体から第２像データ構造体を発生し、そして
上記像再構成命令は、全解像度より低い像解像度レベルが選択されたときには第２像データ構造体に対して作用し、そして全像解像度が選択されたときには第１像データ構造体に作用することを特徴とするコンピュータプログラムプロダクト。
【請求項１９】  上記多解像度像管理モジュールは、
像表示装置に表示された像の切断部分をユーザが選択できるようにする像切断命令を含み、表示された像は、第１データ構造体又は第２データ構造体のデータから発生され、そして
表示された像の切断部分に対応するウェーブレット変換係数のサブセットを第１アレーから抽出しそしてその抽出されたサブセットを第３像データ構造体における第３アレーに記憶することにより、第１像データ構造体から第３像データ構造体を発生するための切断像データ抽出命令を更に含む請求項１８に記載のコンピュータプログラムプロダクト。
【請求項２０】  上記第１アレーは、ウェーブレット又はウェーブレット状変換係数アレーの各位置におけるウェーブレット係数のツリーを各々表すツリー構造体のセットを含み、そして
上記像データ抽出命令は、各ツリー構造体の一部分を第２アレーにコピーする命令を含み、コピーされる部分は、選択された解像度レベルに基づいて決定される請求項１８に記載のコンピュータプログラムプロダクト。